(57)【要約】【課題】都市間移動の際に、広域地図を表示させていても、必要なＶＩＣＳ情報を得られるようにする。【解決手段】現在表示されている地図の縮尺が１／２０万以上の広域地図であるか否かを判断する縮尺判断部２３と、受信したＶＩＣＳ情報から高速道路用ＶＩＣＳ情報を抽出する情報抽出部２４と、現在表示されている地図が広域地図である場合に、各道路種毎のＶＩＣＳ情報のうちから高速道路用ＶＩＣＳ情報のみを表示パネル７に表示させるＶＩＳＣ情報表示制御部２５と、を備えている。【選択図】  図１
2004177265.tif 000002
【特許請求の範囲】
【請求項１】
ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）情報を受信するＶＩＣＳ情報受信手段と表示手段とを備え、該表示手段に各種縮尺で地図を表示させつつ、前記ＶＩＣＳ情報受信手段で受信したＶＩＣＳ情報を該地図上の道路に沿って表示するナビゲーション装置において、
現縮尺が各種縮尺のうちの予め定められた範囲（以下、表示制限範囲とする）内の縮尺であるか否かを判断する縮尺判断手段と、
前記ＶＩＣＳ情報受信手段で受信した道路種毎のＶＩＣＳ情報のうちから、予め定められた道路種のＶＩＣＳ情報を抽出する特定情報抽出手段と、
前記縮尺判断手段により現縮尺が前記表示制限範囲内であると判断されたときには、前記ＶＩＣＳ情報受信手段で受信した道路種毎のＶＩＣＳ情報のうち、前記予め予め定められた道路種のＶＩＣＳ情報のみを前記表示手段に表示させるＶＩＣＳ情報表示制御手段と、
を備えていることを特徴とするナビゲーション装置。
【請求項２】
請求項１に記載のナビゲーション装置において、
前記表示制限範囲は、各種縮尺のうち、所定の縮尺と、該所定の縮尺よりも小さい全ての縮尺である、
ことを特徴とするナビゲーション装置。
【請求項３】
請求項２に記載のナビゲーション装置において、
前記予め定められた道路種のＶＩＣＳ情報は、高速道路のＶＩＣＳ情報であり、
前記ＶＩＣＳ情報表示制御手段は、前記縮尺判断手段により現縮尺が前記表示制限範囲内であると判断されたときには、前記ＶＩＣＳ情報受信手段で受信した道路種毎のＶＩＣＳ情報のうち、前記高速道路のＶＩＣＳ情報のみを前記表示手段に表示させる、
ことを特徴とするナビゲーション装置。
【請求項４】
請求項１に記載のナビゲーション装置において、
前記表示制限範囲は、複数存在し、
複数の前記表示制限範囲毎に、前記予め予め定められた道路種のＶＩＣＳ情報が定められており、
前記ＶＩＣＳ情報表示制御手段は、前記縮尺判断手段により、現縮尺が複数の前記表示制限範囲のうちの特定の表示制限範囲内であると判断されたときには、前記ＶＩＣＳ情報受信手段で受信した道路種毎のＶＩＣＳ情報のうち、前記特定の表示制限範囲に対応して定められた前記予め予め定められた道路種のＶＩＣＳ情報のみを前記表示手段に表示させる、
ことを特徴とするナビゲーション装置。
【請求項５】
請求項１から４のいずれか一項に記載のナビゲーション装置において、
前記表示制限範囲を変更する変更操作手段を備えている、
ことを特徴とするナビゲーション装置。
【発明の詳細な説明】
【０００１】
【発明の属する技術分野】
本発明は、各種縮尺で地図を表示しつつ、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）情報を該地図上の道路に沿って表示するナビゲーション装置に関する。
【０００２】
【従来の技術】
従来のナビゲーション装置としては、例えば、以下の特許文献１に記載されているものがある。
【０００３】
このナビゲーション装置は、渋滞情報を運転者に知らせるため、ＶＩＣＳ情報を受信し、このＶＩＣＳ情報を地図上の道路に沿って表示している。
【０００４】
ここで、図４に示すように、広域地図（縮尺が小さい地図）Ｗを表示している場合と、狭域地図（縮尺が大きい地図）Ｎを表示している場合とにおけるＶＩＣＳ情報の表示形態について説明する。
【０００５】
図６に示すように、狭域地図Ｎの表示中にＶＩＣＳ情報を表示する場合、狭域地図内の道路間隔が比較的広く表示されているため、各道路毎にＶＩＣＳ情報を表示しても、視認性が悪化することはない。
【０００６】
しかしながら、図７に示すように、広域地図Ｗの表示中にＶＩＣＳ情報を表示する場合、広域地図内の道路間隔が比較的狭く表示されているため、各道路毎にＶＩＣＳ情報を表示すると、視認性が悪化してしまう。このため、このナビゲーション装置では、広域地図の表示中にはＶＩＣＳ情報を表示しないようにしている。
【０００７】
【特許文献１】
特開平１０−２２７６４８号
【０００８】
【発明が解決しようとする課題】
一般的に、高速道路を利用して都市間を移動する際には、広域地図を表示していることが多い。しかしながら、従来技術では、前述したように、広域地図中にはＶＩＣＳ情報が表示されないため、広域地図を見ながら高速道路の渋滞を得ることができない。このため、従来技術では、地図の縮尺を大きくして狭域地図を表示させ、この狭域地図から高速道路の渋滞情報を得るか、ＶＩＣＳ情報の表示モードを変えて、簡易図形表示型のＶＩＣＳ情報を表示させ、これから高速道路の渋滞情報を得なければならず、ＶＩＣＳ情報の取得に面倒な操作が伴うことがあるという問題点がある。
【０００９】
本発明は、このような従来の問ＶＩＣＳ情報の表示モードを変える等の面倒な操作を行わずに、現在表示されている地図から想定し得る最適なＶＩＣＳ情報を表示させることができるナビゲーション装置を提供することを目的とする。
【００１０】
【課題を解決するための手段】
前記目的を達成するためのナビゲーション装置は、
現縮尺が各種縮尺のうちの予め定められた範囲（以下、表示制限範囲とする）内の縮尺であるか否かを判断する縮尺判断手段と、
ＶＩＣＳ情報受信手段で受信した道路種毎のＶＩＣＳ情報のうちから、予め定められた道路種のＶＩＣＳ情報を抽出する特定情報抽出手段と、
前記縮尺判断手段により現縮尺が前記表示制限範囲内であると判断されたときには、前記ＶＩＣＳ情報受信手段で受信した道路種毎のＶＩＣＳ情報のうち、前記予め予め定められた道路種のＶＩＣＳ情報のみを表示手段に表示させるＶＩＣＳ情報表示制御手段と、
を備えていることを特徴とするものである。
【００１１】
ここで、前記表示制限範囲は、各種縮尺のうち、所定の縮尺と、該所定の縮尺よりも小さい全ての縮尺であってもよい。この場合、前記予め定められた道路種のＶＩＣＳ情報は、高速道路のＶＩＣＳ情報であり、前記ＶＩＣＳ情報表示制御手段は、前記縮尺判断手段により現縮尺が前記表示制限範囲内であると判断されたときには、前記ＶＩＣＳ情報受信手段で受信した道路種毎のＶＩＣＳ情報のうち、前記高速道路のＶＩＣＳ情報のみを前記表示手段に表示させる、とよい。
【００１２】
また、以上のナビゲーション装置は、
前記表示制限範囲が、複数存在し、
複数の前記表示制限範囲毎に、前記予め予め定められた道路種のＶＩＣＳ情報が定められており、
前記ＶＩＣＳ情報表示制御手段は、前記縮尺判断手段により、現縮尺が複数の前記表示制限範囲のうちの特定の表示制限範囲内であると判断されたときには、前記ＶＩＣＳ情報受信手段で受信した道路種毎のＶＩＣＳ情報のうち、前記特定の表示制限範囲に対応して定められた前記予め予め定められた道路種のＶＩＣＳ情報のみを前記表示手段に表示させる、ものであってもよい。
【００１３】
【発明の実施の形態】
以下、本発明に係る実施形態について、図面を用いて説明する。
【００１４】
まず、図１，２，４〜６を用いて、本発明に係る第一の実施形態としてのナビゲーション装置について説明する。
【００１５】
本実施形態のナビゲーション装置は、図１に示すように、ナビゲーション装置本体１０と、地図情報が記憶されているＤＶＤ１を再生するＤＶＤ装置２と、ＧＰＳ（Ｇｌｏｂａｌ  Ｐｏｓｉｔｉｏｎｉｎｇ  Ｓｙｓｔｅｍ）衛星からの信号を受信するＧＰＳセンサ３と、方位センサ４と、ＶＩＣＳ情報を受信するためのビーコン受信機５及びＦＭ多重放送受信機６と、表示パネル７と、スピーカ８と、を備えている。
【００１６】
ナビゲーション装置本体１０は、ＤＶＤ装置２が再生した地図情報の一部を一時的に記憶しておく地図情報バッファ１１と、ＶＩＣＳ情報を一時的に記憶しておくＶＩＣＳ情報バッファ１２と、各種入力操作を行うための操作端１３と、スピーカ８からの音声出力の制御を行う音声出力制御部１４と、表示パネル７の表示制御を行う表示制御部２０と、を有している。なお、ここでは、ＤＶＤ装置２や表示パネル７等を本体１０から切離しているが、これらＤＶＤ装置２や表示パネル７等を本体１０と一体的にしてもよい。また、操作端１３を本体１０に設けているが、本体１０から切離して、無線による遠隔式操作端としてもよいし、表示パネル７に設けてもよい。
【００１７】
表示制御部２０は、自車両周辺の地図を各種縮尺で表示パネル７に表示させる地図表示制御部２１と、表示パネル７に表示されている地図の現縮尺が各種縮尺のうちの予め定められた範囲（以下、表示制限範囲とする）内の縮尺であるか否かを判断する縮尺判断部（縮尺判断手段）２３と、ビーコン受信機５及びＦＭ多重放送受信機６で受信した道路種毎のＶＩＣＳ情報のうちから予め定められた道路種（高速道路）のＶＩＣＳ情報を抽出する情報抽出部（特定情報抽出手段）２４と、縮尺判断部２３により現縮尺が表示制限範囲内であると判断されたときに、各道路種毎のＶＩＣＳ情報のうち、高速道路用のＶＩＣＳ情報のみを表示パネル７に表示させるＶＩＣＳ情報表示制御部（ＶＩＣＳ情報表示制御手段）２５と、を備えている。なお、図１中に描いていないが、地図表示制御部２１とＶＩＣＳ情報表示制御部２５は、共有要素として、実際には、ＶＲＡＭを有しており、このＶＲＡＭに地図及びＶＩＣＳ情報が描画された後、この描画データが表示パネル７に表示される。
【００１８】
次に、本実施形態のナビゲーション装置の動作について説明する。
【００１９】
操作端１３の操作により目的地が入力されると、この目的地と、ＤＶＤ装置２からの地図情報、ＧＰＳセンサ３から与えられる現在地等に基づいて、地図表示制御部２１は、自車両周辺の地図及び地図中における予定ルートを表示パネル７に表示させる。表示パネル７に表示される地図は、操作端１３の操作により、運転者の好みの縮尺に設定される。この縮尺は、地図表示制御部２０の現縮尺記憶部２２に記憶される。
【００２０】
ＶＩＣＳ情報バッファ１２に蓄えられたＶＩＣＳ情報は、表示制御部２０に送られて表示パネル７に表示されると共に、モード設定に応じて音声出力制御部１４に送られて音声信号に変換された後、スピーカ８から出力される。
【００２１】
ここで、ＶＩＣＳ情報の表示動作について、図２に示すフローチャートに従って説明する。
【００２２】
ＶＩＣＳ情報が表示制御部２０の縮尺判断部２３に入力すると、この縮尺判断部２３は、地図表示制御部２１の現縮尺記憶部２２に記憶されている現縮尺が１／２０万以下の表示制限範囲であるか否か、言い換えると現在表示されている地図が広域地図であるか否かを判断し（ステップ１）、この結果と共にＶＩＣＳ情報を情報抽出部２４に渡す。情報抽出部２４は、縮尺判断部２３における判断が広域地図であるという判断の場合には、ＶＩＣＳ情報のうちから高速道路用ＶＩＣＳ情報を抽出して（ステップ２）、この高速道路用ＶＩＣＳ情報をＶＩＣＳ情報表示制御部２５に渡す。ＶＩＣＳ情報表示制御部２５は、この高速道路用ＶＩＣＳ情報のみを表示パネル７に表示させる（ステップ３）。具体的には、図５に示すように、表示パネル７に表示されている広域地図Ｗ中の高速道路ｈに沿って、この高速道路ｈのＶＩＣＳ情報が矢印で表示される。矢印は、渋滞時には「赤」で、混雑時（渋滞時よりも混雑の程度が低い）には「オレンジ」で、順調時には「緑」で表示される。
【００２３】
また、ステップ１における判断で、現縮尺が１／２０万を超えて、表示制限範囲外である、言い換えると狭域地図であると判断された場合、情報抽出部２４は、縮尺判断部２３からのＶＩＣＳ情報をそのままＶＩＣＳ情報表示制御部２３に渡す。ＶＩＣＳ情報表示制御部２５は、このＶＩＣＳ情報を表示パネル７に表示させる（ステップ３）。具体的には、図６に示すように、表示パネル７に表示されている狭域地図Ｎの高速道路ｈに沿って、この高速道路ｎのＶＩＣＳ情報に応じた矢印が表示されると共に、この狭域地図Ｎの一般道ｇに沿って、一般道ｇのＶＩＣＳ情報に応じた矢印が表示される。
【００２４】
以上のように、本実施形態では、都市間移動の際に、最適な広域地図を表示させていても、この高速道路のＶＩＣＳ情報が表示されるため、従来技術のように、わざわざ高速道路のＶＩＣＳ情報を得るために、ＶＩＣＳ情報表示モードを変える等の面倒な操作を行う必要がない。
【００２５】
次に、本発明に係るナビゲーション装置の第二の実施形態について説明する。
【００２６】
本実施形態のナビゲーション装置の基本的な構成は、図１を用いて前述した第一の実施形態におけるナビゲーション装置を同じである。但し、縮尺判断部２３及び情報抽出部２４の動作、言い換えると、ＶＩＣＳ情報の表示動作が第一の実施形態と異なっている。そこで、以下では、図３に示すフローチャートに従って、本実施形態におけるＶＩＣＳ情報の表示動作について説明する。
【００２７】
ＶＩＣＳ情報が表示制御部２０の縮尺判断部２３に入力すると、この縮尺判断部２３は、地図表示制御部２１の現縮尺記憶部２２に記憶されている現縮尺が１／４０万以下の第一表示制限範囲であるか否か、言い換えると、現在表示されている地図が広域地図であるか否かを判断し（ステップ１１）、現縮尺が１／４０万以下で広域地図であると判断した場合には、この結果と共にＶＩＣＳ情報を情報抽出部２４に渡す。この場合、情報抽出部２４は、第一の実施形態と同様に、ＶＩＣＳ情報のうちから高速道路用ＶＩＣＳ情報を抽出して（ステップ１３）、この高速道路用ＶＩＣＳ情報をＶＩＣＳ情報表示制御部２５に渡す。そして、ＶＩＣＳ情報表示制御部２５は、この高速道路用ＶＩＣＳ情報のみを表示パネル７に表示させる（ステップ１５）。
【００２８】
また、縮尺判断部２３は、ステップ１１で、現縮尺が１／４０万を超え、現在表示されている地図が広域地図ではないと判断した場合には、さらに、現縮尺が１／１０万以下の第二表示制限範囲であるか否か、言い換えると、現在表示されている地図が中域地図であるか否かを判断し（ステップ１２）、この結果と共にＶＩＣＳ情報を情報抽出部２４に渡す。情報抽出部２４は、縮尺判断部２３における判断が中域地図であるという判断の場合には、ＶＩＣＳ情報のうちから高速道路用ＶＩＣＳ情報及び国道用ＶＩＣＳ情報を抽出して（ステップ１４）、これら高速道路用ＶＩＣＳ情報及び国道用ＶＩＣＳ情報をＶＩＣＳ情報表示制御部２５に渡す。ＶＩＣＳ情報表示制御部２５は、この高速道路用ＶＩＣＳ情報及び国道用ＶＩＣＳ情報のみを表示パネル７に表示させる（ステップ１５）。なお、ビーコン受信機５及びＦＭ多重放送受信機６で受信したＶＩＣＳ情報は、一般的に、高速道路用ＶＩＣＳ情報と一般道用ＶＩＣＳ情報とが存在するが、国道用ＶＩＣＳ情報は、一般道用ＶＩＣＳ情報に含まれてしまい、独立した情報として存在しない。そこで、このような場合、情報抽出部２４は、国道用ＶＩＣＳ情報を含む一般道用ＶＩＣＳ情報と、現在表示している地図の地図情報とを比較して、この地図上の国道とされている道路の情報を一般道ＶＩＣＳ情報から抽出し、これを国道用ＶＩＣＳ情報とする。
【００２９】
また、ステップ１２における判断で、現縮尺が１／１０万を超えて、第一及び第二表示制限範囲外である、言い換えると、現在表示されている地図が狭域地図であると判断された場合、情報抽出部２４は、縮尺判断部２３からのＶＩＣＳ情報をそのままＶＩＣＳ情報表示制御部２３に渡す。そして、ＶＩＣＳ情報表示制御部２５は、このＶＩＣＳ情報に含まれている高速道路用ＶＩＣＳ情報、国道用ＶＩＣＳ情報、一般道用ＶＩＣＳ情報を表示パネル７に表示させる（ステップ１５）。
【００３０】
以上のように、本実施形態は、第一の実施形態で、表示制限範囲を一つにして、現縮尺がこの表示制限範囲の縮尺のとき、つまり広域地図を表示しているときには高速道路用ＶＩＣＳ情報のみを表示したのに対して、表示制限範囲を二つにして、現縮尺が第一の表示制限範囲の縮尺のとき、つまり広域地図が表示されているときには高速道路用ＶＩＣＳ情報のみを表示し、現縮尺が第二の表示制限範囲の縮尺のとき、つまり中域地図が表示されているときには高速道路用及び国道用ＶＩＣＳ情報のみを表示したものである。
【００３１】
なお、以上の各実施形態では、表示制限範囲は、一つ又は二つであるが、本発明は、これに限定されるものではなく、一つ以上であれば、三つでも四つでもよい。
【００３２】
また、以上の各実施形態では、縮尺判断部２３における閾値としての縮尺が固定的であるが、操作端１３の操作により、この閾値としての縮尺を変えられるようにしてもよい。また、以上の各実施形態では、広域地図の際には、高速道路用ＶＩＣＳ情報のみを表示しているが、広域地図の際に、高速道路用及び国道用ＶＩＣＳ情報のみを表示できるように、操作端１３の操作により、表示する道路種ＶＩＣＳ情報を変えられるようにしてもよい。
【００３３】
【発明の効果】
本発明によれば、表示モードを変える等の面倒な操作を行わずに、現在表示されている地図の縮尺に応じて、最適なＶＩＣＳ情報を表示させることができる。
【図面の簡単な説明】
【図１】本発明に係る第一の実施形態におけるナビゲーション装置の機能ブロック図である。
【図２】本発明に係る第一の実施形態におけるＶＩＣＳ情報の表示動作を示すフローチャートである。
【図３】本発明に係る第二の実施形態におけるＶＩＣＳ情報の表示動作を示すフローチャートである。
【図４】広域地図中の狭域地図を示す説明図である。
【図５】本発明に係る第一の実施形態の広域地図中におけるＶＩＣＳ情報の表示形態を示す説明図である。
【図６】狭域地図中におけるＶＩＣＳ情報の表示形態を示す説明図である。
【図７】広域地図中で、全ての道路種のＶＩＣＳ情報を表示した場合を示す説明図である。
【符号の説明】
７…表示パネル、８…スピーカ、１０…ナビゲーション装置本体、１３…操作端、１４…音声出力制御部、２０…表示制御部、２１…地図表示制御部、２２…現縮尺記憶部、２３…縮尺判断部、２４…情報種判断部、２５…ＶＩＣＳ情報表示制御部。
【図１】
2004177265.tif 000003
【図２】
2004177265.tif 000004
【図３】
2004177265.tif 000005
【図４】
2004177265.tif 000006
【図５】
2004177265.tif 000007
【図６】
2004177265.tif 000008
【図７】
2004177265.tif 000009